(57)【要約】      （修正有）【課題】複数の動作パターンを選択可能な動物玩具を提供する。【解決手段】動力源を用いて動作させる子犬玩具１であって、頭部１０を動作させる頭部作動機構と、尻尾９を動作させる尻尾作動機構と、四足８を動作させて前進させる前進作動機構と、同じく後進させる後進作動機構と、を備え、かつ、各作動機構の中から一又は複数を選択し、その作動機構を作動させる動作選択手段を備える子犬玩具、を提供する。また、前記頭部作動機構が作動する際、泣き声を発生させる泣き声発生手段を備える構成にしてもよい。この子犬玩具は、頭部を動かす動作、尻尾を動かす動作、泣き声を発する動作、前進・後進などの動作、を行うことができる。加えて、この玩具の使用者自らが、それらの動作の中から一又は複数を選択できる。【選択図】図１
0003116085.tif 000002
【実用新案登録請求の範囲】
【請求項１】
動力源により作動する子犬玩具であって、
頭部を動作させる頭部作動機構と、尻尾を動作させる尻尾作動機構と、四足を動作させて前進させる前進作動機構と、同じく後進させる後進作動機構と、を備え、かつ、
前記各作動機構の中から一又は複数を選択し、その作動機構を作動させる動作選択手段を備える子犬玩具。
【請求項２】
前記頭部作動機構が作動した際、泣き声を発生させる泣き声発生手段を備えていることを特徴とする請求項１記載の子犬玩具。
【請求項３】
前記動力源はモーターであり、該モーターの駆動軸には、駆動歯車が取り付けられ、
前記モーターの駆動力を伝達する動力伝達手段として、第一の軸に取り付けられ前記駆動歯車と噛み合う減速歯車と、同じく第一の軸に形成される案内歯車と、を備え、
前記動作選択手段は、第二の軸に回転自在に嵌通され前記案内歯車と噛み合う第一可動歯車と、歯数が前記第一可動歯車と異なり同じく第二の軸に回転自在に嵌通され前記案内歯車と噛み合う第二可動歯車と、同じく第二の軸に回転自在に嵌通され前記第二可動歯車と一体形成された第一被動歯車及び第二被動歯車と、前記第一可動歯車と接面し前記第一可動歯車及び前記第二可動歯車の位置を移動させる可動金具と、を備え、前記第一可動歯車には、前記第二可動歯車の方へ突出するカム突起が形成され、前記第二可動歯車には、前記カム突起が嵌入できる作動溝が形成されており、
前記頭部作動機構は、第三の軸に取り付けられ前記第一被動歯車及び前記第二被動歯車と噛み合うことが可能な頭部作動歯車と、同じく第三の軸に取り付けられ動力を頭部に伝達する頭部作動クランクと、前記頭部作動クランクと連係する頭部と、を備え、
前記尻尾作動機構は、前記第三の軸に回転自在に嵌通され前記第一被動歯車と噛み合うことが可能な尻尾作動歯車と、第四の軸に取り付けられ前記尻尾作動歯車と噛み合う歯車と、同じく第四の軸に取り付けられ動力を尻尾に伝達する尻尾作動クランクと、前記尻尾作動クランクと連係する尻尾部と、を備え、
前記前進作動機構は、第五の軸に取り付けられ前記第二被動歯車と噛み合うことが可能な足部作動歯車と、同じく第五の軸に取り付けられ動力を足部に伝達する左右一対の足部作動クランクと、前記各足部作動クランクのそれぞれと連係する前後の足部と、を備え、
前記後進作動機構は、前記第三の軸に回転自在に嵌通され前記第一被動歯車と噛み合うことが可能であり前記足部作動歯車と噛み合う後進作動歯車を備え、かつ、
前記可動金具の位置を移動させることにより、及び／又は、前記カム突起が前記作動溝に嵌入しているかどうかにより、次の（１）から（４）のいずれかの状態に、前記第一被動歯車及び前記第二被動歯車の位置を変更できることを特徴とする請求項１又は請求項２記載の子犬玩具。
（１）前記第一被動歯車はどの歯車とも噛み合わず、前記第二被動歯車は前記後進作動歯車と噛み合っている状態。
（２）前記第一被動歯車は前記頭部作動歯車と噛み合い、前記第二被動歯車は前記足部作動歯車と噛み合っている状態。
（３）前記第一被動歯車はどの歯車とも噛み合わず、前記第二被動歯車は前記頭部作動歯車と噛み合っている状態。
（４）前記第一被動歯車はどの歯車とも噛み合わず、前記第二被動歯車は前記尻尾作動歯車と噛み合っている状態。
【考案の詳細な説明】
【技術分野】
【０００１】
本考案は、動力源を用いて動作させる子犬玩具に関する。より詳細には、前進又は後進させる動作、頭部を動かす動作、尻尾を動かす動作、泣き声を発生する動作、などを選択して行うことができる子犬玩具に関する。
【背景技術】
【０００２】
動く動物玩具として、子犬、猫、キリンなどの玩具がよく知られている。それらの玩具は、例えば、歯車やカム機構などを用いて、歩く動作、泣き声を発する動作、尻尾を動かす動作などを行うように設計されている。
【特許文献１】実開平５−９５５９５号
【特許文献２】実用新案登録第３０９０４３１号
【考案の開示】
【考案が解決しようとする課題】
【０００３】
従来の動く動物玩具は、決められた動作を繰り返し行うのみで、玩具の使用者自らが、動作を選択できない場合が多い。従って、例えば、子供がその玩具で遊ぶ際に、飽きやすいという問題があった。そこで、本考案は、複数の動作パターンを選択可能な動物玩具を提供することを主な目的とする。
【課題を解決するための手段】
【０００４】
本考案では、動力源を用いて動作させる子犬玩具であって、頭部を動作させる頭部作動機構と、尻尾を動作させる尻尾作動機構と、四足を動作させて前進させる前進作動機構と、同じく後進させる後進作動機構と、を備え、かつ、各作動機構の中から一又は複数を選択し、その作動機構を作動させる動作選択手段を備える子犬玩具、を提供する。この子犬玩具は、前記頭部作動機構が作動した際、泣き声を発生させる泣き声発生手段を備える構成にしてもよい。
【０００５】
本考案に係る子犬玩具は、頭部を動かす動作、尻尾を動かす動作、泣き声を発する動作、前進・後進などの動作、を行うことができる。
加えて、この玩具の使用者自らが、それらの動作の中から一又は複数を選択できる。
従って、使用者は、複数の動作の中から所望の動作を選択し、楽しむことができるため、従来よりも娯楽性が高く、飽きにくい。
【考案の効果】
【０００６】
本考案に係る子犬玩具では、複数の動作パターンの中から、使用者自らが、所望の動作を選択できる。
【考案を実施するための最良の形態】
【０００７】
はじめに、図１から図３を用いて、本考案に係る子犬玩具の構成例を、以下説明する。
【０００８】
図１は、本考案に係る子犬玩具の構成例を示す斜視模式図である。
【０００９】
この子犬玩具１は、胴体部を形成する枠体２に、各クランク（符号６、７など）を介して、足部８、尻尾９、頭部１０を取り付け、また、枠体２の内部に歯車部４を設置する構成を備えている。
【００１０】
この子犬玩具１は、動作選択手段として、取っ手２７、四角カム２８、可動金具２６を備えている。
【００１１】
取っ手２７は、外部から操作可能な位置に設ける。
取っ手２７を回転させると、四角カム２８が回転し、可動金具２６の位置が移動する。これにより、歯車部４内の所定の歯車の位置が変更され、子犬玩具１の動作設定が変更される。即ち、取っ手２７を回転させることにより、複数の動作パターンの中から所望の動作を選択できる。
【００１２】
なお、図１では、取っ手２７及び四角カム２８を用いているが、本考案はこれらに狭く限定されない。即ち、動作選択手段として、その他の公知方法を採用してもよい。
【００１３】
図２は、本考案に係る歯車部とその周辺構造の例を示す分解斜視模式図である。
【００１４】
図２では、動力源はモーター３であり、モーター３の駆動軸には、駆動歯車１１が取り付けられている。また、モーター３の駆動力を伝達する動力伝達手段として、第一の軸１２に取り付けられ駆動歯車１１と噛み合う減速歯車１２ａと、同じく第一の軸１２に形成される案内歯車１２ｂと、を備えている。
【００１５】
上述の通り、本考案に係る子犬玩具は、頭部を動作させる頭部作動機構と、尻尾を動作させる尻尾作動機構と、四足を動作させて前進させる前進作動機構と、同じく後進させる後進作動機構と、を備え、かつ、各作動機構の中から一又は複数を選択し、その作動機構を作動させる動作選択手段を備える。
【００１６】
動作選択手段は、第二の軸１３に回転自在に嵌通され案内歯車１２ｂと噛み合う第一可動歯車１４と、歯数が前記第一可動歯車１４と異なり同じく第二の軸１３に回転自在に嵌通され案内歯車１２ｂと噛み合う第二可動歯車１５と、同じく第二の軸１３に回転自在に嵌通され第二可動歯車１５と一体形成された第一被動歯車１５ｂ及び第二被動歯車１５ｃと、第一可動歯車１４と接面し第一可動歯車１４及び第二可動歯車１５の位置を移動させる可動金具２６と、を備える。
【００１７】
取っ手２７は、四角カム２８を介して、可動金具２６に接続する。例えば、取っ手２７を９０°回転させると、四角カム２８も９０°回転し、可動金具２６の位置が移動する。そのため、第一可動歯車１４及び第二可動歯車１５の位置も移動し、動作設定が変更される（詳細は後述する）。
なお、可動金具２６は、第二の軸１３及び第五の軸２３に嵌通し、各軸１３、２３に取り付けられたバネ部材１６、２５により、弾性支持されている。
【００１８】
第一可動歯車１４には、第二可動歯車１５の方へ突出するカム突起１４ａが形成され、第二可動歯車１５には、カム突起１４ａが嵌入できる作動溝１５ａが形成されている。
第一可動歯車１４と第二可動歯車１５とは歯数が異なるため、回転比が異なる。回転比の違いに伴い、カム突起１４ａと作動溝１５ａの位置が重なると両歯車１４、１５は接面し、カム突起１４ａと作動溝１５ａの位置がずれると、両歯車１４、１５は所定距離離れる。
前記の通り、第一被動歯車１５ｂ及び第二被動歯車１５ｃは第二可動歯車１５と一体形成されている。
従って、カム突起１４ａが作動溝１５ａに嵌入しているかどうかにより、第一被動歯車１５ｂ及び第二被動歯車１５ｃの位置が移動し、動作が変更される（詳細は後述する）。
【００１９】
頭部作動機構は、第三の軸１７に取り付けられ第一被動歯車１５ｂ及び第二被動歯車１５ｃと噛み合うことが可能な頭部作動歯車１８と、同じく第三の軸１７に取り付けられ動力を頭部に伝達する頭部作動クランク７と、頭部作動クランク７と連係する頭部と、を備える。
この機構により、例えば、頭部を上下に動かす動作を作動させることができる。
また、頭部作動機構に泣き声発生手段（図示せず）を接続することにより、この機構を作動させた際、頭部を上下に動かす動作とともに、泣き声を発生させることができる。
なお、泣き声発生手段は特に限定されず、例えば、既存の音声発生装置などを用いることができる。
【００２０】
尻尾作動機構は、第三の軸１７に回転自在に嵌通され第一被動歯車１５ｂと噛み合うことが可能な尻尾作動歯車１９と、第四の軸２１に取り付けられ尻尾作動歯車１９と噛み合う歯車２２と、同じく第四の軸２１に取り付けられ動力を尻尾に伝達する尻尾作動クランク６と、尻尾作動クランク６と連係する尻尾部と、を備える。
この機構により、例えば、尻尾を振る動作を作動させることができる。
【００２１】
前進作動機構は、第五の軸２３に取り付けられ第二被動歯車１５ｃと噛み合うことが可能な足部作動歯車２４と、同じく第五の軸２３に取り付けられ動力を足部に伝達する左右一対の足部作動クランク５、５と、各足部作動クランク５、５と連係する前後の足部と、を備える。
この機構により、足部を左右互い違いに動かし前進する動作を作動させることができる。
【００２２】
後進作動機構は、第三の軸１７に回転自在に嵌通され第一被動歯車１５ｂと噛み合うことが可能であり足部作動歯車２４と噛み合う後進作動歯車２０を備える。即ち、後進作動歯車２０は、第一被動歯車１５ｂと噛み合う部分と足部作動歯車２４と噛み合う部分との二段構成を有する。
第一被動歯車１５ｂから足部作動歯車２４に動力を伝達する際に、後進作動歯車２０を介することにより、足部作動歯車２４の回転方向を逆向きにできるため、後進する動作を作動させることができる。
【００２３】
図３は、本考案に係る歯車部の歯車配置の例を示す側方視内部模式図である。
【００２４】
第一の軸１２は、減速歯車１２ａと案内歯車１２ｂを備える。
第二の軸１３は、第一可動歯車１４、第二可動歯車１５、第一被動歯車１５ｂ、第二被動歯車１５ｃを備える。
第三の軸１７は、頭部作動歯車１８、尻尾作動歯車１９、後進作動歯車２０を備え、また、頭部作動クランク７が取り付けられている。
第四の軸２１は、尻尾作動歯車１９と噛み合い、動力を尻尾部に伝達する歯車２２を備え、また、尻部作動クランク６が取り付けられている。
第五の軸２３は、足部作動歯車２４を備え、また、足部作動クランク５が取り付けられている。
【００２５】
モーターによる動力は、駆動歯車１１を介して、減速歯車１２ａに伝達される。次に、減速歯車１２ａが回転することにより、案内歯車１２ｂが回転し、その動力が、第二の軸１３の第一可動歯車１４及び第二可動歯車１５に伝達される。次に、第二可動歯車１５が回転することにより、第一被動歯車１５ｂ及び第二被動歯車１５ｃが回転し、その動力は、第三の軸１７の頭部作動歯車１８、尻尾作動歯車１９、後進作動歯車２０のいずれか、及び／又は、第五の軸２３の足部作動歯車２４に伝達される。
【００２６】
第三の軸１７の頭部作動歯車１８に動力が伝達された場合、第三の軸１７に取り付けられた頭部作動クランクを介して、頭部に動力が伝達される。同時に、第五の軸２３の足部作動歯車２４が回転することにより、第五の軸２３の足部作動クランクを介して、前進する動作が作動する。
第三の軸１７の尻尾作動歯車１９に動力が伝達された場合、第四の軸２１の歯車２２に動力が伝達され、第四の軸の尻部作動クランクを介して、尻尾を振る動作が作動する。
第三の軸１７の後進作動歯車２０に動力が伝達された場合、その動力が、第五の軸２３の足部作動歯車２４に逆向きに伝達されるため、後進する動作が作動する。
【００２７】
続いて、図４から図７を用いて、本考案に係る子犬玩具の動作設定を、以下説明する。
【００２８】
上述の通り、動作設定は、例えば、取っ手２７を回転させ、四角カム２８回転し、可動金具２６の位置を移動し、第一可動歯車１４及び第二可動歯車１５の位置を移動することにより行う。
また、上述の通り、この子犬玩具は、第一可動歯車１４に形成されたカム突起１４ａの位置と、第二可動歯車１５に形成された作動溝１５ａの位置とが重なっている場合（カム突起１４ａが作動溝１５ａに嵌入している場合）と、ずれている場合（カム突起１４ａが作動溝１５ａに嵌入していない場合）とで、異なる動作を行う。即ち、この子犬玩具は、一つの動作設定において、２パターンの動作を交互に行う。
【００２９】
図４及び図５では、子犬玩具の動作設定を、第一の動作パターン（前進する動作と後進する動作を交互に行い、前進する動作を行っている際は、頭部を上下に動かしながら泣き声を発する。）に設定にした場合の構成例を示す。
【００３０】
図４は、カム突起１４ａが作動溝１５ａに嵌入している状態の場合を示す構造模式図である。
【００３１】
この場合、カム突起１４ａが作動溝１５ａに嵌入しているため、第一可動歯車１４と第二可動歯車１５は接面している。そして、第一被動歯車１４はどの歯車とも噛み合わず、第二被動歯車１５は後進作動歯車２０と噛み合っている状態である。
従って、この状態の場合、モーターによる動力は後進作動歯車２０を介して足部作動歯車２４に逆向きに伝達され、子犬玩具は、後進する動作を行う。
【００３２】
図５は、カム突起１４ａが作動溝１５ａに嵌入していない状態の場合を示す構造模式図である。
【００３３】
この場合、カム突起１４ａが作動溝１５ａに嵌入していないため、第一可動歯車１４と第二可動歯車１５は離れている。そして、第一被動歯車１４は頭部作動歯車１８と噛み合い、第二被動歯車１５は足部作動歯車１６と噛み合っている状態である。
従って、この状態の場合、モーターによる動力は、頭部作動歯車１８を介して頭部へ、及び、足部作動歯車１５を介して足部へ、それぞれ伝達され、子犬玩具は、頭部を上下に動かし泣き声を発生する動作と前進する動作とを同時に行う。
【００３４】
図６及び図７では、子犬玩具の動作設定を、第二の動作パターン（頭部を上下に動かしながら泣き声を発する動作と尻尾を振る動作とを交互に行う。）に設定にした場合の構成例を示す。
【００３５】
図６は、カム突起１４ａが作動溝１５ａに嵌入している状態の場合を示す構造模式図である。
【００３６】
この場合、図４と同様、カム突起１４ａが作動溝１５ａに嵌入しているため、第一可動歯車１４と第二可動歯車１５は接面している。そして、第一被動歯車１４はどの歯車とも噛み合わず、第二被動歯車１５は頭部作動歯車１８と噛み合っている状態である。
従って、この状態の場合、モーターによる動力は頭部作動歯車１８を介して頭部へ伝達され、子犬玩具は、じっとした状態のまま（前進又は後進する動作を行わないまま）、頭部を上下に動かしながら泣き声を発する動作を行う。
【００３７】
図７は、カム突起１４ａが作動溝１５ａに嵌入していない状態の場合を示す構造模式図である。
【００３８】
この場合、図５と同様、カム突起１４ａが作動溝１５ａに嵌入していないため、第一可動歯車１４と第二可動歯車１５は離れている。そして、第一被動歯車１４はどの歯車とも噛み合わず、第二被動歯車１５は尻尾作動歯車１９と噛み合っている状態である。
従って、この状態の場合、モーターによる動力は、尻尾作動歯車１９を介して尻尾へ伝達され、子犬玩具は、尻尾を振る動作を行う。
【００３９】
以上のように、本考案に係る子犬玩具は、可動金具２６の位置を移動させることにより、及び／又は、前記カム突起が前記作動溝に嵌入しているかどうかにより、次の（１）から（４）のいずれかの状態に、第一被動歯車１５ｂ及び第二被動歯車１５ｃの位置を変更できる。
（１）第一被動歯車１５ｂはどの歯車とも噛み合わず、第二被動歯車１５ｃは後進作動歯車２０と噛み合っている状態。
（２）第一被動歯車１５ｂは頭部作動歯車１８と噛み合い、第二被動歯車１５ｃは足部作動歯車１６と噛み合っている状態。
（３）第一被動歯車１５ｂはどの歯車とも噛み合わず、第二被動歯車１５ｃは頭部作動歯車１８と噛み合っている状態。
（４）第一被動歯車１５ｂはどの歯車とも噛み合わず、第二被動歯車１５ｃは尻尾作動歯車１９と噛み合っている状態。
【００４０】
そして、取っ手２７を回転させ、動作設定を第一の動作パターンに設定した場合、（１）と（２）の状態を交互に繰り返すため、この子犬玩具は、前進する動作と後進する動作を交互に行い、前進する動作を行っている際は、頭部を上下に動かしながら泣き声を発する。
一方、取っ手２７を回転させ、動作設定を第二の動作パターンに設定した場合、（３）と（４）の状態を交互に繰り返すため、この子犬玩具は、頭部を上下に動かしながら泣き声を発する動作と尻尾を振る動作とを交互に行う。
【図面の簡単な説明】
【００４１】
【図１】本考案に係る子犬玩具の構成例を示す斜視模式図。
【図２】本考案の歯車部とその周辺構造の例を示す分解斜視模式図。
【図３】本考案の歯車部の歯車配置の例を示す側方視内部模式図。
【図４】本考案の第一の動作を行うように設定した場合であって、カム突起が作動溝に嵌入している状態の場合を示す構造模式図。
【図５】本考案の第一の動作を行うように設定した場合であって、カム突起が作動溝に嵌入していない状態の場合を示す構造模式図。
【図６】本考案の第二の動作を行うように設定した場合であって、カム突起が作動溝に嵌入している状態の場合を示す構造模式図。
【図７】本考案の第二の動作を行うように設定した場合であって、カム突起が作動溝に嵌入していない状態の場合を示す構造模式図。
【符号の説明】
【００４２】
１      小犬玩具
２      枠体
３      モーター
４      歯車部
５      足部作動クランク
６      尻尾作動クランク
７      頭部作動クランク
８      足部
９      尻尾
１０    頭部
１１    駆動歯車
１２    第一の軸
１２ａ  減速歯車
１２ｂ  案内歯車
１３    第二の軸
１４    第一可動歯車
１４ａ  カム突起
１５    第二可動歯車
１５ａ  作動溝
１５ｂ  第一被動歯車
１５ｃ  第二被動歯車
１６    バネ部材
１７    第三の軸
１８    頭部作動歯車
１９    尻尾作動歯車
２０    後進作動歯車
２１    第四の軸
２２    歯車
２３    第五の軸
２４    足部作動歯車
２５    バネ部材
２６    可動金具
２７    取っ手
２８    四角カム
【図１】
0003116085.tif 000003
【図２】
0003116085.tif 000004
【図３】
0003116085.tif 000005
【図４】
0003116085.tif 000006
【図５】
0003116085.tif 000007
【図６】
0003116085.tif 000008
【図７】
0003116085.tif 000009